(57)【要約】【課題】  実機のファンなどの風が液晶表示装置裏面から吹き付けられた場合でも、液晶表示装置内部に塵埃が侵入することを防止し、表示品質の低下を抑制した液晶表示装置を提供すること。【解決手段】  液晶パネルＬＣＰと、該液晶パネルを照明するバックライトとを、該液晶パネルの表面の周縁部から該バックライトの側面に掛けて被せた上フレームＵＦＲで一体化した液晶表示装置において、該バックライトの内部に配置された光源に給電するケーブルＣＡは、該バックライトの側面（サイドモールド，ＳＭＤ）と該上フレームＵＦＲとの間から引き出され、該ケーブルＣＡの引き出し部をカバーシートＣＳで覆ったことを特徴とする。【選択図】図２
2012093659.tif 000002
【特許請求の範囲】
【請求項１】
液晶パネルと、該液晶パネルを照明するバックライトとを、該液晶パネルの表面の周縁部から該バックライトの側面に掛けて被せた上フレームで一体化した液晶表示装置において、
該バックライトの内部に配置された光源に給電するケーブルは、該バックライトの側面と該上フレームとの間から引き出され、
該ケーブルの引き出し部をカバーシートで覆ったことを特徴とする液晶表示装置。
【請求項２】
請求項１に記載の液晶表示装置において、該光源は冷陰極蛍光管であり、該バックライトの裏面には、インバータ基板又は接地基板が配置されていることを特徴とする液晶表示装置。
【請求項３】
請求項２に記載の液晶表示装置において、該ケーブルが接続されるコネクタが該インバータ基板又は該接地基板に設けられ、該カバーシートは、該ケーブルの引き出し部から該コネクタまでを少なくとも覆うように配置されていることを特徴とする液晶表示装置。
【請求項４】
請求項３に記載の液晶表示装置において、該インバータ基板は外部の電気回路に接続されるインターフェース用コネクタを有し、該カバーシートは、該インターフェース用コネクタの差し込み口を除いて該インバータ基板全体を覆うように配置されていることを特徴とする液晶表示装置。
【請求項５】
請求項２乃至４のいずれかに記載の液晶表示装置において、該インバータ基板は該バックライトの裏面から離間して配置され、該インバータ基板と該バックライトとの間には、クッションスペーサが配置されていることを特徴とする液晶表示装置。
【発明の詳細な説明】
【技術分野】
【０００１】
本発明は液晶表示装置に関し、特に、液晶パネルと、該液晶パネルを照明するバックライトとを、該液晶パネルの表面の周縁部から該バックライトの側面に掛けて被せた上フレームで一体化した液晶表示装置に関する。
【背景技術】
【０００２】
液晶表示装置は、パソコンやテレビのモニタだけでなく、医療用の表示装置など、各種の用途に幅広く利用されている。液晶表示装置は、液晶パネルとバックライトとを、上フレームを被せて一体化しており、該上フレームを実機のフレームやボディの所定位置にネジ等で取付け・固定している。
【０００３】
液晶表示装置においては、バックライトの内部空間や、液晶パネルとバックライトとの隙間などに塵や埃が入り易い。特に、顧客実機に実装されているファンの影響により、液晶表示装置裏面（バックライト裏面）から塵埃が侵入し、表示品質を低下させる問題があった。
【０００４】
一方、特許文献１に示すように、液晶パネルとバックライトとの間に出来る僅かの隙間から塵埃が侵入するのを防止するため、液晶パネルの表示面の周縁部からバックライトの側面を覆うように防塵テープを貼り付けることが行われている。
【０００５】
しかしながら、バックライトの内部には光源が配置され、光源への給電ケーブルをバックライトの外部へ導出する必要がある。しかも、冷陰極蛍光管（ＣＣＦＬ）などのように高電圧を利用する光源では、光源と外部の回路基板とを接続するケーブルの太さも大きくなり、蛍光管の数に応じてケーブル数も増加する。このため、防塵テープによる封止では十分な防塵対策を施すことができない。
【先行技術文献】
【特許文献】
【０００６】
【特許文献１】特開２００７−１７１８７７号公報
【発明の概要】
【発明が解決しようとする課題】
【０００７】
本発明の解決しようとする課題は、上述した問題を解消し、実機のファンなどの風が液晶表示装置裏面から吹き付けられた場合でも、液晶表示装置内部に塵埃が侵入することを防止し、表示品質の低下を抑制した液晶表示装置を提供することである。
【課題を解決するための手段】
【０００８】
上記課題を解決するため、本発明者が、液晶表示装置における塵埃の侵入経路を鋭意調査し分析を行った結果、液晶表示装置に使用しているＣＣＦＬ直下型バックライトでは、ＣＣＦＬのケーブルの引き出し部に空間が開いており、この部分にファンの風が吹き込むと風と共に塵埃が侵入する場合があることが分かった。また、インバータ回路は放熱性を考慮し、セルスペーサ等を使用して下フレームと間隔を空けて実装しているためにこのすき間からも、ファンの風と共に塵埃が侵入する場合があることが分かった。
【０００９】
このような塵埃の侵入経路を塞ぐため、本発明では以下のような手段が利用可能である。
（１）  液晶パネルと、該液晶パネルを照明するバックライトとを、該液晶パネルの表面の周縁部から該バックライトの側面に掛けて被せた上フレームで一体化した液晶表示装置において、該バックライトの内部に配置された光源に給電するケーブルは、該バックライトの側面と該上フレームとの間から引き出され、該ケーブルの引き出し部をカバーシートで覆ったことを特徴とする。
【００１０】
（２）  上記（１）に記載の液晶表示装置において、該光源は冷陰極蛍光管であり、該バックライトの裏面には、インバータ基板又は接地基板が配置されていることを特徴とする。
【００１１】
（３）  上記（２）に記載の液晶表示装置において、該ケーブルが接続されるコネクタが該インバータ基板又は該接地基板に設けられ、該カバーシートは、該ケーブルの引き出し部から該コネクタまでを少なくとも覆うように配置されていることを特徴とする。
【００１２】
（４）  上記（３）に記載の液晶表示装置において、該インバータ基板は外部の電気回路に接続されるインターフェース用コネクタを有し、該カバーシートは、該インターフェース用コネクタの差し込み口を除いて該インバータ基板全体を覆うように配置されていることを特徴とする。
【００１３】
（５）  上記（２）乃至（４）のいずれかに記載の液晶表示装置において、該インバータ基板は該バックライトの裏面から離間して配置され、該インバータ基板と該バックライトとの間には、クッションスペーサが配置されていることを特徴とする。
【発明の効果】
【００１４】
本発明のように、バックライトの内部に配置された光源に給電するケーブルは、該バックライトの側面と上フレームとの間から引き出され、該ケーブルの引き出し部をカバーシートで覆うため、引き出し部に出来た隙間（空間）を通じて液晶表示装置内部に塵埃が侵入することを防止することができる。しかも、ケーブルが接続されるコネクタがインバータ基板又は該接地基板に設けられ、該カバーシートは、該ケーブルの引き出し部から該コネクタまでを少なくとも覆うよう構成することで、引き出し部に至る塵埃の侵入経路を確実に遮断することが可能となる。
【００１５】
また、インバータ基板とバックライトとの間には、クッションスペーサを配置することにより、これらの隙間から引き出し部に至る塵埃の侵入経路も確実に遮断することができ、画像の表示品質の低下を抑制することが可能となる。
【図面の簡単な説明】
【００１６】
【図１】本発明の液晶表示装置の裏側（バックライト側）から見た平面図である。
【図２】図１における一点鎖線Ａ−Ａ’における断面図である。
【図３】インバータ基板に対するカバーシートの貼り付け仕様１を説明する図である。
【図４】インバータ基板に対するカバーシートの貼り付け仕様２を説明する図である。
【図５】インバータ基板に対するカバーシートの貼り付け仕様３を説明する図である。
【発明を実施するための形態】
【００１７】
本発明の液晶表示装置について、以下に詳細に説明する。
図１は、本発明の液晶表示装置を裏側（バックライト側）から見た平面図であり、図２は、図１の一点鎖線Ａ−Ａ’における断面図を示す概略図である。
【００１８】
本発明の液晶表示装置は、図１及び２に示すように、液晶パネルＬＣＰと、該液晶パネルを照明するバックライトとを、該液晶パネルの表面の周縁部から該バックライトの側面に掛けて被せた上フレームＵＦＲで一体化した液晶表示装置において、該バックライトの内部に配置された光源に給電するケーブルＣＡは、該バックライトの側面（サイドモールド，ＳＭＤ）と該上フレームＵＦＲとの間から引き出され、該ケーブルＣＡの引き出し部をカバーシートＣＳで覆ったことを特徴とする。
【００１９】
液晶表示装置は、図２に示すように、液晶パネルＬＣＰとバックライトとを一体化したものである。バックライトは、下フレームＳＦＲとサイドモールドＳＭＤで構成される枠体の内部に、光源となる冷陰極蛍光管（不図示）が複数本へ並列に配置される。光源は冷陰極蛍光管に限らず、外部電極蛍光管や発光ダイオードなど各種の光源が利用可能である。また、光源の配置も、液晶パネルの直下に限らず、液晶パネルの裏側の側辺部であっても良い。ただし、冷陰極蛍光管を直下型で配置する場合には、高電圧を給電するケーブルを複数本、バックライトのサイドモールドＳＭＤと上フレームＵＦＲとの間から引き出す必要があり、本発明を適用することがより好ましい。
【００２０】
光源として蛍光管を使用する場合には、下フレームＳＦＲから所定距離離間した位置（図２のＳＦＲから下方向に離れた場所）に蛍光管を図２の横方向に配置している。蛍光管と下フレームＳＦＲとの間には、反射シートが配置され、さらに蛍光管と液晶パネルとの間には、光源からの放射光を拡散・収束して均一な照明光を得るための光学シートＯＳが配置されている。
【００２１】
光源に給電するケーブルＣＡは、サイドモールドの外側側面からバックライトの外側に導出され、バックライトの下フレームＳＦＲの裏面に固定された接地基板ＧＣＢに設けられたコネクタＣＡＣや、インバータ基板ＩＣＢに設けられたコネクタＣＡＣに接続される。インバータ基板ＩＣＢは放熱効果を高めるため、セルスペーサＳＰを用いて下フレームＳＦＲから離間して配置されている。
【００２２】
液晶パネルＬＣＰとバックライトとの一体化は、液晶パネルＬＣＰをモールドＭＬと上フレームＵＦＲとで液晶パネルＬＣＰの周縁部を挟持し、さらに、モールドＭＬ及び上フレームＵＦＲをバックライトに被さるように配置・固定することで両者の一体化を行う。
【００２３】
液晶表示装置の裏面には、インバータ基板ＩＣＢを覆うようにインバータカバーＩＣＲが配置されている。
【００２４】
ケーブルＣＡがバックライトのサイドモールドＳＭＤと上フレームＵＦＲとの間から引き出される場合には、サイドモールドＳＭＤと上フレームＵＦＲとの間に隙間が形成される。今、矢印ＡやＢの方向に空気が移動する場合には、塵埃は、サイドモールドＳＭＤと上フレームＵＦＲ（モールドＭＬ）との間を通過し、点線矢印ａやｂのように、サイドモールドＳＭＤと光学シートＯＳとの間からバックライトの内部へと移動する。また、光学シートＯＳとモールドＭＬとの隙間、あるいは、モールドＭＬと上フレームＵＦＲとの隙間などを経て、液晶パネルＬＣＰと光学シートＯＳとの間に、塵埃が入り込む。
【００２５】
また、矢印Ｃのように空気が移動すると、下フレームＳＦＲとインバータ基板ＩＣＢとの間を通過して塵埃が移動し、矢印Ａの場合と同様に、バックライトの内部等に塵埃が入り込む。
【００２６】
このような不具合を解消するため、本発明の液晶表示装置は、図１又は２に示すように、カバーシートＣＳを配置し、ケーブルＣＡの引き出し部をカバーシートＣＳで覆うよう構成している。さらに、インバータ基板ＩＣＢと下フレームＵＦＲとの間には、クッションスペーサを配置し、矢印Ｃで示す空気が、ケーブルの引き出し部に入り込まないように設定している。
【００２７】
カバーシートＣＳとしては、ＰＥＴ（ポリエチレンテレフタレート）シートなど電気的絶縁性があり、耐熱性に優れた材料が好適に使用可能である。例えば、０．１ｍｍ以下の厚みのＰＥＴシートを用いることで、インバータ基板や接地基板、あるいは上フレームＵＦＲやモールドＭＬに沿ってカバーシートを曲げて密着させるなど、加工性も良好となる。カバーシートＣＳは、両面テープを使用してインバータ基板や上フレームなどに接着される。
【００２８】
インバータ基板上には電子部品が配置されているため、これらの電子部品の数や配置により、図３乃至６に示すように、カバーシートの貼り付け仕様１〜３を選択することができる。
【００２９】
図３は、ケーブルＣＡが接続されるコネクタＣＡＣがインバータ基板ＩＣＢ又は接地基板ＧＣＢに設けられ、カバーシートＣＳは、ケーブルＣＡの引き出し部から該コネクタＣＡＣまでを覆うように配置されている。接地基板ＧＣＢ側はコネクタＣＡＣ以外の実装部品が殆ど無いため、ケーブル接続用コネクタＣＡＣを包み込むように、カバーシートＣＳを接地基板ＧＣＢに貼り付けることが可能である。
【００３０】
しかし、インバータ基板ＩＣＢにはトランス他の回路部品が高密度で実装されており、カバーシートＣＳをインバータ基板ＩＣＢに貼り付けるスペースが無いために、ケーブル接続用コネクタＣＡＣに貼り付けている。このためコネクタとコネクタの間に僅かであるが塵埃侵入の隙間が残ってしまう。
【００３１】
図４はカバーシートの貼り付け仕様２を示す図であり、ケーブル接続用コネクタＣＡＣ間の隙間を塞ぐために、カバーシートＣＳに凹凸を設けた仕様である。凸部は基板に接着されるため、コネクタＣＡＣ間に入り込み隙間を塞ぐことが可能となる。さらに、この仕様を実現できないほどインバータ基板の部品実装が高密度となった場合には、図５に示すようにインバータ基板ＩＣＢ全体をカバーシートで覆うことも可能である。ただし、インバータ基板ＩＣＢは外部の電気回路に接続されるインターフェース用コネクタＩＦＣを有しているため、インターフェース用コネクタＩＦＣの差し込み口を除いて、カバーシートＣＳがインバータ基板ＩＣＢ全体を覆うように配置されている。なお、図５（ａ）の一点鎖線Ａ−Ａ’における断面の概略図を図５（ｂ）に示す。
【００３２】
本発明の液晶表示装置では、図２や図５（ｂ）の符号ＣＳＰで示すように、インバータ基板ＩＣＢと下フレームＵＦＲとの間の隙間を塞ぐために、クッションスペーサを配置している。クッションスペーサの材料は、電気的絶縁性があり、耐熱性が優れており、さらに弾性変形して隙間を塞ぐことができ、塵埃を通過させないような材料であれば、特に制限されない。
【００３３】
以上では、本発明の構成について、液晶表示装置を中心に説明したが、本発明は、液晶表示装置以外であっても、製品内部と外付け基板をケーブル接続するような仕様において塵埃侵入を防止する際に、その構成を適用することが可能である。
【産業上の利用可能性】
【００３４】
以上のように、本発明によれば、実機のファンなどの風が液晶表示装置裏面から吹き付けられた場合でも、液晶表示装置内部に塵埃が侵入することを防止し、表示品質の低下を抑制した液晶表示装置を提供することが可能となる。
【符号の説明】
【００３５】
ＣＡ  ケーブル
ＣＡＣ  コネクタ
ＣＳ  カバーシート
ＣＳＰ  クッションスペーサ
ＩＣＢ  インバータ基板
ＩＣＲ  インバータカバー
ＬＣＰ  液晶パネル
ＭＬ  モールド
ＯＳ  光学シート
ＳＦＲ  下フレーム
ＳＭＤ  サイドモールド
ＳＰ  スペーサ
ＵＦＲ  上フレーム
【図１】
2012093659.tif 000003
【図２】
2012093659.tif 000004
【図３】
2012093659.tif 000005
【図４】
2012093659.tif 000006
【図５】
2012093659.tif 000007